(57)【要約】      （修正有）【課題】火災に対する対応を考慮した実用的な金庫管理装置を提供するものである。【解決手段】金庫管理装置は、金庫２を設置する室と、金庫２は、開閉する扉と、内部に収納部２３と、収納部２３と室の内３Ａに連通する室連通路と、収納部２３と外部に連通する外部連通路２５とを有し、外部連通路２５と室の外３Ｂとに連通する通路７と、この通路７内に空気を吸引するファン１０と、室の内３Ａの火災を検知する火災検知手段１１とを備え、この火災検知手段１１により、室の内３Ａの火災を検知した時、ファン１０を回転させて室３の外３Ｂの空気を、通路７、外部連通路２５、金庫２の収納部２３、室連通路を介して、室の内３Ａに排気させるものである。【選択図】図４
2008223403.tif 000002
【特許請求の範囲】
【請求項１】
金庫を設置する室と、
前記金庫は、開閉する扉と、内部に収納部と、前記収納部と前記室の内に連通する室連通路と、前記収納部と外部に連通する外部連通路とを有し、
前記外部連通路と前記室の外とに連通する通路と、
この通路内に空気を吸引するファンと、    
前記室の内の火災を検知する火災検知手段とを備え、
この火災検知手段により、前記室の内の火災を検知した時、前記ファンを回転させて前記室の外の空気を、前記通路、前記外部連通路、前記金庫の収納部、前記室連通路を介して、前記室の内に排気させる
ことを特徴とする金庫管理装置。
【請求項２】
室の外の空気を冷却し、該冷却した空気を通路、外部連通路、金庫の収納部、室連通路を介して、室の内に排気させる
ことを特徴とする請求項１記載の金庫管理装置。
【発明の詳細な説明】
【技術分野】
【０００１】
本発明は、金庫管理装置に係り、特に、火災に対する対応を考慮した実用的な金庫管理装置に関する。
【０００２】
従来、火災に対する対応を考慮した金庫がある（例えば、特許文献１参照）。
【特許文献１】特開平８−２５４０７５号公報
【発明の開示】
【発明が解決しようとする課題】
【０００３】
これは、金庫の外周に水を収容する水収容部を設け、火災のときに前記水収容部の水を蒸発させて金庫に耐熱性をもたせようとするものである。
しかしながら、金庫の外周に水を収容する水収容部を設けているため、金庫の扉を開閉する際、金庫の外周に水を収容する水収容部が邪魔となり、実用的でないという問題点があった。
【０００４】
本発明は、火災に対する対応を考慮した実用的な金庫管理装置を提供することを目的とする。
【課題を解決するための手段】
【０００５】
本発明の金庫管理装置は、金庫を設置する室と、前記金庫は、開閉する扉と、内部に収納部と、前記収納部と前記室の内に連通する室連通路と、前記収納部と外部に連通する外部連通路とを有し、前記外部連通路と前記室の外とに連通する通路と、この通路内に空気を吸引するファンと、前記室の内の火災を検知する火災検知手段とを備え、この火災検知手段により、前記室の内の火災を検知した時、前記ファンを回転させて前記室の外の空気を、前記通路、前記外部連通路、前記金庫の収納部、前記室連通路を介して、前記室の内に排気させるものである。
【０００６】
また、請求項２記載の金庫管理装置は、請求項１記載の金庫管理装置において、室の外の空気を冷却し、該冷却した空気を通路、外部連通路、金庫の収納部、室連通路を介して、室の内に排気させるものである。
【発明の効果】
【０００７】
請求項１記載の金庫管理装置によれば、火災検知手段により、室の内の火災を検知した時、ファンを回転させて、室の外の空気を、通路、外部連通路、金庫の収納部、室連通路を介して、室の内に排気させるため、室の内の火災による煙、炎、輻射熱等が金庫内に侵入するのを避けることができ、その分、金庫の収納部内の書類等が燃えるに要する時間を稼ぎ、書類等が消失するのを防ぐことができる。
【０００８】
また、請求項２記載の金庫管理装置によれば、前述した請求項１記載の発明の効果に加え、火災時、室の外の空気を冷却し、該冷却した空気を通路、外部連通路、金庫の収納部、室連通路を介して、室の内に排気させるため、冷却されている分、金庫の収納部内の書類等が燃えるに要する時間をより稼ぎ、書類等がより消失するのを防ぐことができる。
【発明を実施するための最良の形態】
【０００９】
本発明の金庫管理装置の一実施例を図面を参照して説明する。
（実施例１）
図１乃至図６において、１は金庫管理装置で、金庫管理装置１は、例えば、室３の内３Ａに設置した金庫２を管理するものである。
なお、本実施例においては、金庫２は複数設けられているが、本発明にあっては、これに限らず、金庫２は単数であっても良い。
また、室３は周囲を壁４により囲まれ、５は室３内への出入りのためのドアで、６はドア５の取っ手である。
【００１０】
金庫２は、図５及び図６に示すように、前面に設けられた前面開口部２１を開閉する扉２２と、内部に収納部２３と、収納部２３と室３の内３Ａに連通する室連通路２４、２４’と、収納部２３と外部（金庫２の外）に連通する外部連通路２５とを有している。
なお、室連通路２４は、例えば、扉２２の開閉に伴って生じる扉２２と金庫２の本体との間に生じる扉開閉に伴う機械的クリアランス（金庫２の扉２２の閉時の扉２２と前面開口部２１の間隙部）で、この室連通路２４は、必然的に生じているものをそのまま利用するものである。
また、本発明にあっては、室連通路２４のみでも良いが、金庫２の気密性を高めたものにあっては、収納部２３と室３の内３Ａに連通するように設けた室連通路２４’でも良い。この室連通路２４’は、例えば、金庫２の設置台２６に空気通路部２６ａ、該空気通路部２６ａに連通する金庫２の開口部２７を設けるようにして、空気が通る通路を形成するようにしても良いし、また、図示しないが、設置台２６を設けず、金庫２に収納部２３と室３に連通する室連通路を金庫２の下方部に設けるようにしても良い。
また、室３の内３Ａは、図示しない空気調和機により温度調節、湿度調節、空気清浄されている。温度は、例えば、約２５℃であり、湿度は、例えば、約４５〜約６０%であり、この温度及び湿度の値は、適宜調整可能であり、本発明にあっては、少なくとも、温度調節されていれば良い。これは、温度が低ければ、湿気も除去されるからである。
【００１１】
また、図４に示す７は、外部連通路２５と室３の外３Ｂとに連通する通路である。
通路７は、単一の金庫２の外部連通路２５と室３の外３Ｂとを個別的に連通するようにしても良いが、複雑化するため、本実施例では、例えば、図１及び図２に示すように、第１の気密室７１、この第１の気密室７１に分岐通路７２を介して接続される第２の気密室７３、第１の気密室７１に接続され、室３の外３Ｂに連通する連通室７４とを有している。
なお、第１の気密室７１は、例えば、４個の金庫２の上方に位置し、それぞれの金庫２の外部連通路２５を介して連通し、また、第２の気密室７３は、例えば、３個又は４個の金庫２の上方に位置し、それぞれの金庫２の外部連通路２５を介して連通している。
また、７５は隣接する第２の気密室７３を接続する接続通路である。
また、外部連通路２５には、外部連通路２５の通路面積を可変して風量を調節する風量調節部材２５’が設けられている。図４及び図５では、風量調節部材２５’が金庫２の天井面より突出して設けられているが、風量調節部材２５’が金庫２の天井面より突出しないように外部連通路２５内に埋め込むようにして取り付けられるようにしても良い。
【００１２】
また、図４に示す８は通路７内に室３の温度調節された空気を吸引するファンで、８ａは吹き出しガラリで、９は通路７と室３の外３Ｂに連通し、通路７に室３の外３Ｂの空気を導く室外空気導入通路で、１０は室外空気導入通路９内に室３の外３Ｂの空気を吸引する室外空気吸引ファンで、１０ａは吸い込みガラリである。
【００１３】
また、図４に示す１１は、室３の内３Ａに設置され、室３の内３Ａの火災を検知する火災検知手段で、火災検知手段１１は、室３の内３Ａの煙、温度、紫外線等で火災を検知するものである。１００は、火災検知手段１１により、ファン８及び室外空気吸引ファン１０を制御する制御手段である。
この制御手段１００は、火災検知手段１１により、室３の内３Ａの煙又は温度又は紫外線等を検知しない通常時は、ファン８を作動させて、温度調節された室３の内３Ａの空気を、室連通路２４、２４’（図５及び図６参照）を介して、金庫２の収納部２３、外部連通路２５、通路７、室３の外３Ｂへと導くようになっている（図４に示す矢印は、通常時の空気流れを示す。）。
【００１４】
つまり、金庫２が設置されている室３の内３Ａの温度調節された室３の内３Ａの空気を利用して、該空気を室連通路２４、２４’を介して、金庫２の収納部２３、外部連通路２５、通路７（通路７を構成する第１の気密室７１及び第２の気密室７３は、火災検知手段１１により、火災を検知しない通常時は、減圧室として機能し、室３の外３Ｂに排気させる。）、室３の外３Ｂへと導くようにするため、従来のように、金庫２に収納する書類Ｐ等をガスバリア性樹脂フィルムで形成した樹脂袋内に収容しなくても、そのまま書類Ｐ等を金庫２に収納しても、金庫２内の空気が流動すると共に、湿気の溜まりを防止して、金庫２内のむれによる雑菌の発生、金庫２内に収納されている書類Ｐ等に黴が発生するのを簡易に防ぐことができる。
【００１５】
また、火災検知手段１１により、室３の内３Ａの火災を検知した時、制御手段１００により、ファン８を停止、室外空気吸引ファン１０を作動させて、室３の外３Ｂの空気を、室外空気導入通路９、通路７（通路７を構成する第１の気密室７１及び第２の気密室７３は、火災検知手段１１により室３の内３Ａの火災を検知した時は、加圧室として機能し、外気を導入し金庫２内を加圧し、室３の内３Ａに排気させる。）、外部連通路２５、金庫２の収納部２３、室連通路２４，２４’を介して、室３の内３Ａに排気させるようにする。
その結果、火災検知手段１１により、室３の内３Ａの火災を検知した時、ファン８を停止、室外空気吸引ファン１０を作動させて、室外空気を、室外空気導入通路９、通路７（なお、望ましくは、通路７の室外空気導入通路９の合流部からファン８の側への通路７を図示しない閉塞板で遮断すると良い。）、外部連通路２５、金庫２の収納部２３、室連通路２４  、２４’を介して、室３の内３Ａに排気させるため、室３の内３Ａの火災による煙、炎、輻射熱等が金庫２内に侵入するのを避けることができ、その分、金庫２の収納部２３内の書類Ｐ等が燃えるに要する時間を稼ぎ、書類Ｐ等が消失するのを防ぐことができる。
【００１６】
（実施例２）
なお、上述した実施例においては、ファン８、室外空気吸引ファン１０とファンを２個、通路７、室外空気導入通路９と通路を２個、それぞれ設けたが、本発明にあってはこれに限らず、例えば、図７に示すように、上述した実施例の室外空気吸引ファン１０、室外空気導入通路９を省略することができ、その際、ファン８は、上述した実施例と異なり、正逆回転自在なファンとする必要がある。その他は、上述した実施例と同様であるので、上述した実施例と同一部分に同一符号を付してその説明を省略する。
【００１７】
即ち、火災検知手段１１により、室３の内３Ａの煙又は温度又は紫外線を検知しない通常時は、制御手段１００により、ファン８を作動させて、温度調節された室３の内３Ａの空気を、図７に示すように、室連通路（図示しないが、図５に記載の符号２４、２４’）を介して、金庫２の収納部２３、外部連通路２５、通路７、室３の外３Ｂへと導くようにすることができる。つまり、通常時は室３の外３Ｂに排気させる。
その結果、従来のように、金庫２に収納する書類Ｐ等をガスバリア性樹脂フィルムで形成した樹脂袋内に収容しなくても、そのまま書類Ｐ等を金庫２に収納しても、金庫２内の空気が流動すると共に、湿気の溜まりを防止して、金庫２内に収納されている書類Ｐ等に黴が発生するのを簡易に防ぐことができる。
また、火災検知手段１１により、室３の内３Ａの火災を検知した時、ファン８の回転を逆にして、室３の外３Ｂの空気を、通路７、外部連通路２５、金庫２の収納部２３、室連通路（図示しないが、図５に記載の符号２４、２４’）を介して、室３の内３Ａに排気させる。つまり、火災時は外気を導入し金庫２内を加圧し、室３の内３Ａに排気させる。
その結果、室の内３Ａの火災による煙、炎、輻射熱等が金庫２内に侵入するのを避けることができ、その分、金庫２の収納部２ｃ内の書類Ｐ等が燃えるに要する時間を稼ぎ、書類Ｐ等が消失するのを防ぐことができる。
【００１８】
また、図８に示すように、金庫２の耐火性を高めるために、扉２２の裏面の全体に亘って気泡コンクリート２０、該気泡コンクリート２０を扉２２に取り付けられるための取付板３０（例えば、鉄板）を、それぞれ設けるようにしても良い。
更に、気泡コンクリート２０の扉２２の裏面の側は、凹状の溝部２０ａが形成され、該溝部２０ａの開放端は金庫２の内部に臨むように構成するようにして、凹状の溝部２０ａ内の空気層による断熱層を設け、耐火性を更に高めるようにすることができる。
なお、この凹状の溝部２０ａは、扉２２の長手方向に沿うような縦のストライプ溝を複数並設しても良いし、また、扉２２の長手方向を横断する横のストライプ溝（図示せず）を複数並設しても良いし、また、これら縦のストライプ溝と横のストライプ溝を組み合わせた升目状ストライプ溝でも良い。
また、上述した収納部２３と室３に連通する室連通路２４、２４’の他に、扉枠４０に取り付けたブッシュ２４”の硬度を適宜調整することにより、金庫２内の減圧、加圧時の空気の流入、排出を可能とすることができる。
【００１９】
なお、上述した実施例においては、室３の外３Ｂの空気を、そのまま、通路７、外部連通路２５、金庫２の収納部２３、室連通路２４，２４’を介して、室３の内３Ａに排気させるようにしているが、その際、室３の外３Ｂの空気を図示しない冷凍サイクルの蒸発器で冷却し、該冷却した空気を通路７、外部連通路２５、金庫２の収納部２３、室連通路２４，２４’を介して、室３の内３Ａに排気させるようにしても良い。
その結果、冷却されている分、金庫２の収納部２３内の書類Ｐ等が燃えるに要する時間をより稼ぎ、書類Ｐ等がより消失するのを防ぐことができる。
【図面の簡単な説明】
【００２０】
【図１】図１は、本発明の一実施例の金庫管理装置の概略的平面図である。
【図２】図２は、図１の金庫管理装置のダクト部分の概略的平面図である。
【図３】図３は、図１の矢印Ｘ方向から見た概略的平面図である。
【図４】図４は、図１の一部を拡大して示す概略的図である。
【図５】図５は、図４の５−５線による概略的断面図である。
【図６】図６は、図５の一部を拡大して示す概略的一部拡大断面図である。
【図７】図７は、図４の他の実施例の概略的断面図である。
【図８】図８は、図５の扉の他の実施例の概略的断面図である。
【符号の説明】
【００２１】
１        金庫管理装置
２        金庫
２２      扉
２３      収納部
２４      室連通路
２４’    室連通路
３        室
７        通路
１０      ファン
【図１】
2008223403.tif 000003
【図２】
2008223403.tif 000004
【図３】
2008223403.tif 000005
【図４】
2008223403.tif 000006
【図５】
2008223403.tif 000007
【図６】
2008223403.tif 000008
【図７】
2008223403.tif 000009
【図８】
2008223403.tif 000010